(57)【要約】  【課題】製氷皿の温度を検知する温度センサを有しない自動製氷装置を備えた冷凍冷蔵庫において、製氷皿への給水動作から製氷完了までの時間を決定することで製氷時間の適正化を図り、タイムリーな氷を供給することを目的とする。  【解決手段】第３タイマ３５と第４タイマ３６と送風機運転積算時間検出手段３７と第１製氷時間判定手段３８とを備え、送風機運転積算時間検出手段３７で、製氷皿１７への給水動作から製氷完了までの時間を直接的に時間で決定することで製氷時間の適正化を行うことができ、タイムリーな氷を供給することができる。【選択図】図１
2006078107.tif 000002
【特許請求の範囲】
【請求項１】
外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記送風機の運転積算時間によって決定することを特徴とする冷凍冷蔵庫。
【請求項２】
外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記製氷室扉開閉カウンタの回数によって決定することを特徴とする冷凍冷蔵庫。
【請求項３】
外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室および製氷室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記製氷室の内部に設置された温度検出手段によって検出された庫内温度から決定することを特徴とする冷凍冷蔵庫。
【請求項４】
外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室および製氷室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記冷凍室の内部に設置された温度検出手段によって検出された庫内温度から決定することを特徴とする冷凍冷蔵庫。
【請求項５】
外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記冷凍室の温度を調節することができる操作部と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記操作部よって調節された冷凍室の温度帯から決定することを特徴とする冷凍冷蔵庫。
【請求項６】
外箱と内箱間に断熱材を充墳してなる断熱箱体の庫内を断熱仕切体により区画してなる冷蔵室と製氷室と冷凍室と切換室と、冷気を生成する冷却器と、生成した冷気を強制循環する送風機と、前記冷凍室および切換室の内部に設置された庫内温度を検出する温度検出手段と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記切換室の内部に設置された温度検出手段によって検出された庫内温度から決定することを特徴とする冷凍冷蔵庫。
【請求項７】
外箱と内箱間に断熱材を充墳してなる断熱箱体の庫内を断熱仕切体により区画してなる冷蔵室と製氷室と冷凍室と切換室と、冷気を生成する冷却器と、生成した冷気を強制循環する送風機と、前記冷凍室および切換室の内部に設置された庫内温度を検出する温度検出手段と、前記切換室の温度帯を調節することができる操作部と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記操作部よって調節された切換室の温度帯から決定することを特徴とする冷凍冷蔵庫。
【発明の詳細な説明】
【技術分野】
【０００１】
本発明は自動製氷装置を備えた冷凍冷蔵庫に関するものである。
【背景技術】
【０００２】
近年、自動製氷装置を備えた冷凍冷蔵庫が主流となってきている（例えば、特許文献１参照）。
【０００３】
図１５は、特許文献１に記載された従来の自動製氷装置を備えた冷凍冷蔵庫を示すものである。図１６は、従来の冷凍冷蔵庫の動作を示すフローチャートである。図１７は、従来の自動製氷装置の動作を示すフローチャートである。
【０００４】
図１５に示すように、冷凍冷蔵庫本体１は外箱２、内箱３、及び前記外箱２と前記内箱３間に充填された断熱材４より構成されている。区画壁５により前記冷凍冷蔵庫本体１の内部を上下に区画し、最上部に冷蔵室６、中央部に切換室７および製氷室８、最下部に冷凍室９を区画形成している。
【０００５】
冷却器１０は前記冷凍室９の背面に備え冷気を生成し、送風機１１により生成した冷気を強制循環させ冷凍サイクルの一部を形成している。庫内温度検出手段１２は前記冷凍室９内に設置された庫内温度検出用サーミスタ１３より庫内温度を検出する手段であり、庫内温度判定手段１４は前記庫内温度検出手段１２の検出した温度が設定温度以上であるかを判定する手段である。圧縮機駆動手段１５は冷凍サイクルの圧縮機１６を動作させる手段である。製氷皿１７は家庭用冷凍冷蔵庫に付設するような場合には、前記製氷室８の冷気吹き出し口付近にあり、前記冷却器１０および前記送風機１１により生成した冷気が直接あたるように設置している。
【０００６】
製氷温度決定手段１８は前記送風機１１の積算運転時間と、前記庫内温度検出手段１２の検知温度とから相関関係により製氷皿温度を推定し、この推定した製氷皿温度に基いて製氷完了温度を決定する。給水タンク１９は、家庭用冷凍冷蔵庫に付設するような場合には冷蔵室６に設置する。給水ポンプモータ２０は前記給水タンク１９から前記製氷皿１７に水を供給する。離氷機構２１は前記製氷皿１７をモータにより回転させて、その回転により捻りを加えて離氷させる機能を持つ。尚、前記離氷機構２１は、プラスチックなどで囲まれた製氷ケース２２内部に構成されている。
【０００７】
また、前記製氷皿１７の下には、落下した氷を貯めておく貯氷箱２３が配置されている。また、前記製氷ケース２２からは、前記貯氷箱２３の氷の量を検知する前記製氷ケース２２の一部を支点に前記離氷機構２１のモータに連動して上下に動く検氷レバー２４が前記貯氷箱２３の上に位置している。前記離氷機構２１のモータが動き出すと前記検氷レバー２４が下がり始め一定時間たつと最も下に下がる。さらに前記離氷機構２１のモータを動かしていると、前記検氷レバー２４は上がり始め最終的には前記検氷レバー２４は最初の位置に戻る。その検氷レバー２４が下がって行く間に氷等の障害物に当たると前記検氷レバー２４はその場で止まるが前記離氷機構２１のモータは続いて動いている。
【０００８】
そして前記離氷機構２１のモータが動き始めて一定時間後前記検氷レバー２４を上げる動作に入った時に連動して前記検氷レバー２４も上がる。その一連の前記検氷レバー２４の一連の動作量で氷の量を検知するマイクロスイッチ等よりなる製氷量検知スイッチ２５が前記製氷ケース２２内にある。また、製氷温度判定手段２６は前記製氷温度決定手段１８の決定した温度が設定温度以下であるかを判断する。離氷判定手段２７は前記離氷機構２１のモータの回転により離氷機構２１が前記製氷皿１７に捻りを加えて離氷させ元の水平位置に戻す一連の動作が終了したかを判断する手段である。製氷量検知手段２８は前記製氷量検知スイッチ２５の状態を検出する手段で、製氷量判定手段２９は前記製氷量検知手段２８より前記貯氷箱２３が満氷状態であるかを判断する手段である。モータ駆動手段３０は前記製氷温度判定手段２６より前記離氷機構２１のモータを動作させる手段である。給水ポンプモータ駆動手段３１は前記給水ポンプモータ２０を動作させる手段である。
【０００９】
給水タイマ３２は前記給水ポンプモータ２０が動作している時間をカウントするタイマでタイムアップも判断する。第１タイマ３３は前記製氷量判定手段２９の状態が満氷で前記モータ駆動手段３０が前記離氷機構２１のモータを停止した時よりカウントするタイマでタイムアップも判断する。第２タイマ３４は前記離氷機構２１のモータが動き出した時からカウントするタイマでタイムアップも判断する。第３タイマ３５は前記製氷量判定手段２９の状態が貯氷量不足で前記給水ポンプモータ２０が前記給水タンク１９から前記製氷皿１７に水を供給した時よりカウントするタイマでタイムアップも判断する。
【００１０】
以上のように構成された冷凍冷蔵庫における動作について図１６を参照しながら以下その動作を説明する。
【００１１】
最初にステップ１で庫内温度検出手段１２が冷凍室９内部に設置された庫内温度検出用サーミスタ１３より冷凍室内温度を検出する。次に、ステップ２で庫内温度判定手段１４は庫内温度検出手段１２が検出した温度が設定温度より高いかまたは低いかを判断し、高ければステップ３で圧縮機駆動手段１５が圧縮機１６を動作させステップ１へ戻る。しかし、ステップ２で庫内温度が低いと判断すればステップ４に進み圧縮機駆動手段１５で圧縮機１６を停止させステップ１へ戻る。このサイクルを繰り返し庫内冷却を行っている。
【００１２】
次に自動製氷装置について、図１７を参照しながら以下その動作を説明する。
【００１３】
まず最初にステップ１０１で製氷温度決定手段１８が前記送風機１１の積算運転時間と、前記庫内温度検出手段１２の検知温度とから相関関係により製氷皿温度を推定し、この推定した製氷皿温度に基いて製氷完了温度を決定する。次に、ステップ１０２で製氷温度判定手段２６はステップ１０１で決定された温度が設定温度より高いか低いかを判断し、高ければステップ１０１に戻り、低ければ製氷が完了したと判断し、ステップ１０３に進みモータ駆動手段３０が離氷機構２１のモータを動作させ、次のステップ１０４で第２タイマ３４をスタートさせる。ステップ１０５では第２タイマ３４一定時間カウントしたかどうかを判断し、タイムアップするまで待機している。
【００１４】
離氷機構２１のモータはこの間も動いておりその動作は、検氷レバー２４が最初に下がり貯氷箱２３の氷に当たり停止もしくは何も当たらずに最下点まで到達し次に上がる動作をしている。製氷量検知スイッチ２４は検氷レバー２４の動作量で氷の量を判断し、氷が多い時はＯＦＦそして氷が少ない時はＯＮの状態になっている。検氷レバー２４の一連の動作が終了すると第２タイマ３４の時間カウントも終了しステップ１０６に進む。ステップ１０６では製氷量検知手段２８が製氷量検知スイッチ２５の状態を検出し、次のステップ１０７で製氷量判定手段２９が、製氷量が少ないと判断すればステップ１０８へと進み離氷動作を行う。
【００１５】
ステップ１０８で離氷判定手段２７は、離氷機構２１のモータにより離氷機構２１が製氷皿１７を回転させて捻りを加え、氷を製氷皿１７より離氷させて元の水平位置に戻す一連の動作が終了したかどうかを判断し、終了したと判断すればステップ１０９に進み、モータ駆動手段３０が離氷機構２１のモータを停止させる。ステップ１１０では給水ポンプモータ駆動手段３１が空の製氷皿１７に水を給水すべく給水ポンプモータ１８を動作させるとともにステップ１１１で給水タイマ３１をスタートさせる。ステップ１１２で給水タイマ３１が一定時間カウントしたかどうかを判断し、タイムアップするまで給水ポンプモータ２０を動作させる。ステップ１１２で給水タイマ３２がタイムアップすると、次のステップ１１３で給水ポンプモータ駆動手段３１は給水ポンプモータ２０を停止させる。
【００１６】
以上で給水が完了し製氷サイクルが終了したので、ステップ１１４に進み第３タイマ３５がタイムアップすると再度ステップ１０１に戻り、以降このサイクルを繰り返し自動的に製氷を行う。ステップ１０７で製氷量判定手段２８により製氷量が多いと判断すればステップ１１４へ進む。ステップ１１５ではモータ駆動手段３０が離氷機構２１のモータを停止させ、ステップ１１６で第１タイマ３３をスタートさせる。ステップ１１７で第１タイマ３３が一定時間カウントしたかどうかを判断し、タイムアップするまで待機する。ステップ１１６で第１タイマ３３がタイムアップするとステップ１０３に戻り再度検氷動作を行う。
【特許文献１】特開２００３−１３０５１９号公報
【発明の開示】
【発明が解決しようとする課題】
【００１７】
しかしながら、上記従来の構成では、送風機の積算運転時間と冷凍室用温度検知センサの検知温度からの相関関係により製氷皿温度を推定させ製氷完了の温度を決定するため、冷凍室の温度から製氷皿の温度を推定するという予測を前提に製氷完了を安全側に設定する必要があり、製氷完了時間は製氷完了を判断するための製氷皿の温度を検知する温度センサを備えたものより長くなり、タイムリーな氷の供給ができないという問題を有していた。
【００１８】
本発明は、上記従来の課題を解決するもので、送風機の運転状態の違い、または製氷室の温度上昇、または冷凍室の温度上昇、または冷凍室の温度帯の違い、または切換室の温度上昇、または切換室の温度帯の違いにおいても、製氷皿への給水動作から製氷完了までの時間を決定することで製氷時間の適正化を図り、タイムリーな氷を供給することができる自動製氷装置を備えた冷凍冷蔵庫を提供することを目的とする。
【課題を解決するための手段】
【００１９】
上記従来の課題を解決するために、本発明の自動製氷装置付き冷凍冷蔵庫は、製氷完了を判断するための製氷皿の温度を検知する温度センサを有しないものにおいて、自動製氷装置によって製氷皿に給水されてから離氷するまでの製氷時間を送風機の運転時間によって決定するものである。
【００２０】
これによって、送風機の運転時間の違いで、製氷皿への給水動作から製氷完了までの時間を直接的に時間で決定することで製氷時間の適正化を行うことができる。
【００２１】
また、本発明の自動製氷装置付き冷凍冷蔵庫は、自動製氷装置によって製氷皿に給水されてから離氷するまでの時間を製氷室の扉開閉の回数によって決定することで、製氷室の扉開閉があった場合でも、製氷時間の適正化を行うことができる。
【００２２】
また、本発明の自動製氷装置付き冷凍冷蔵庫は、自動製氷装置によって製氷皿に給水されてから離氷するまでの時間を製氷室の内部に設置された温度検出手段によって検出された庫内温度から決定することで、製氷室内の温度違いがあった場合でも、製氷時間の適正化を行うことができる。
【００２３】
また、本発明の自動製氷装置付き冷凍冷蔵庫は、自動製氷装置によって製氷皿に給水されてから離氷するまでの時間を冷凍室の内部に設置された温度検出手段によって検出された庫内温度から決定することで、冷凍室内の温度違いがあった場合でも、製氷時間の適正化を行うことができる。
【００２４】
また、本発明の自動製氷装置付き冷凍冷蔵庫は、自動製氷装置によって製氷皿に給水されてから離氷するまでの時間を操作部よって調節された冷凍室の温度帯から決定することで、冷凍室内の温度調節の違いがあった場合でも、製氷時間の適正化を行うことができる。
【００２５】
また、本発明の自動製氷装置付き冷凍冷蔵庫は、自動製氷装置によって製氷皿に給水されてから離氷するまでの時間を切換室の内部に設置された温度検出手段によって検出された庫内温度から決定することで、切換室内の温度違いがあった場合でも、製氷時間の適正化を行うことができる。
【００２６】
また、本発明の自動製氷装置付き冷凍冷蔵庫は、自動製氷装置によって製氷皿に給水されてから離氷するまでの時間を操作部よって調節された切換室の温度帯から決定することで、冷凍室内の温度調節の違いがあった場合でも、製氷時間の適正化を行うことができる。
【発明の効果】
【００２７】
本発明の自動製氷装置付き冷凍冷蔵庫は、製氷完了を判断するための製氷皿の温度を検知する温度センサを有しないものにおいて、送風機の運転状態の違い、または製氷室の温度上昇、または冷凍室の温度上昇、または冷凍室の温度帯の違い、または切換室の温度上昇、または切換室の温度帯の違いにおいても、製氷皿への給水動作から製氷完了までの時間を適切に決定することで製氷時間の適正化を行い、タイムリーな氷を供給することができる。
【発明を実施するための最良の形態】
【００２８】
請求項１に記載の発明は、外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記送風機の運転積算時間によって決定するものであり、製氷完了を判断するための製氷皿の温度を検知する温度センサを有しないものにおいて、送風機の運転時間の違いで、製氷皿への給水動作から製氷完了までの時間を直接的に時間で決定することで製氷時間の適正化を行うことができ、タイムリーな氷を供給することができる。
【００２９】
請求項２に記載の発明は、外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記製氷室扉開閉カウンタの回数によって決定するものであり、製氷完了を判断するための製氷皿の温度を検知する温度センサを有しないものにおいて、製氷室の扉開閉があった場合でも、製氷時間の適正化を行うことができ、タイムリーな氷を供給することができる。
【００３０】
請求項３に記載の発明は、外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室および製氷室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記製氷室の内部に設置された温度検出手段によって検出された庫内温度から決定するものであり、製氷完了を判断するための製氷皿の温度を検知する温度センサを有しないものにおいて、製氷室内の温度違いがあった場合でも、製氷時間の適正化を行うことができ、タイムリーな氷を供給することができる。
【００３１】
請求項４に記載の発明は、外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室および製氷室の内部に設置された庫内温度を検出する温度検出手段と、前記製氷室の前面に備えた扉の開閉回数をカウントする製氷室扉開閉カウンタと、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記冷凍室の内部に設置された温度検出手段によって検出された庫内温度から決定するものであり、製氷完了を判断するための製氷皿の温度を検知する温度センサを有しないものにおいて、冷凍室内の温度違いがあった場合でも、製氷時間の適正化を行うことができ、タイムリーな氷を供給することができる。
【００３２】
請求項５に記載の発明は、外箱と内箱間に断熱材を充墳してなる断熱箱体の庫内を断熱仕切体により区画してなる冷蔵室と製氷室と冷凍室と、冷気を生成する冷却器と、生成した冷気を強制循環する送風機と、前記冷凍室の内部に設置された庫内温度を検出する温度検出手段と、前記冷凍室の温度を調節することができる操作部と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記操作部よって調節された冷凍室の温度帯から決定するものであり、製氷完了を判断するための製氷皿の温度を検知する温度センサを有しないものにおいて、冷凍室内の温度調節の違いがあった場合でも、製氷時間の適正化を行うことができ、タイムリーな氷を供給することができる。
【００３３】
請求項６に記載の発明は、外箱と内箱間に断熱材を充墳してなる断熱箱体の庫内を断熱仕切体により区画してなる冷蔵室と製氷室と冷凍室と切換室と、冷気を生成する冷却器と、生成した冷気を強制循環する送風機と、前記冷凍室および切換室の内部に設置された庫内温度を検出する温度検出手段と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記切換室の内部に設置された温度検出手段によって検出された庫内温度から決定するものであり、製氷完了を判断するための製氷皿の温度を検知する温度センサを有しないものにおいて、切換室内の温度違いがあった場合でも、製氷時間の適正化を行うことができ、タイムリーな氷を供給することができる。
【００３４】
請求項７に記載の発明は、外箱と内箱間に断熱材を充墳してなる断熱箱体の庫内を断熱仕切体により区画してなる冷蔵室と製氷室と冷凍室と切換室と、冷気を生成する冷却器と、生成した冷気を強制循環する送風機と、前記冷凍室および切換室の内部に設置された庫内温度を検出する温度検出手段と、前記切換室の温度帯を調節することができる操作部と、前記冷蔵室内に備えた給水タンクと給水ポンプとで構成された給水装置と、前記製氷室内に配置され前記給水装置から給水管を経路して給水され氷を生成する製氷皿と、前記製氷皿を回転させて離氷する駆動部と、離氷し貯氷した貯氷量を検知する検氷レバーとで構成された製氷ユニットと、前記製氷ユニットで製氷した氷を貯氷する貯氷箱からなる自動製氷装置を備えた冷凍冷蔵庫において、前記自動製氷装置は、前記製氷皿に給水されてから離氷するまでの時間を前記操作部よって調節された切換室の温度帯から決定するものであり、製氷完了を判断するための製氷皿の温度を検知する温度センサを有しないものにおいて、冷凍室内の温度調節の違いがあった場合でも、製氷時間の適正化を行うことができ、タイムリーな氷を供給することができる。
【００３５】
以下、本発明の実施の形態について、図面を参照しながら説明するが、従来例または先に説明した実施の形態と同一構成について同一符号を付して、その詳細な説明は省略する。尚、この実施の形態によってこの発明が限定されるものではない。
【００３６】
（実施の形態１）
図１は、本発明の実施の形態１における自動製氷装置およびこの装置を備えた冷凍冷蔵庫のブロック図である。図２は、同実施の形態の動作を示すフローチャートである。
【００３７】
図１において、第４タイマ３６は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。送風機運転積算時間検出手段３７は送風機１１の運転積算時間を検出する。第１製氷時間判定手段３８は製氷時間をカウントするタイマを第３タイマ３５で行うかまたは第４タイマ３６で行うかを判定する手段である。
【００３８】
以上のように構成された自動製氷装置およびこの装置を備えた冷凍冷蔵庫について、以下その動作、作用を図２をもとにして説明する。
【００３９】
まず、ステップ１からステップ４およびステップ１０１からステップ１１２は従来通りである。ステップ１１３で給水ポンプモータ駆動手段３１は給水ポンプモータ２０を停止させステップ２０１に進む。ステップ２０１では、送風機運転積算時間検出手段３７により送風機１１の運転積算時間を検出しステップ２０２へ進む。ステップ２０２では、第１製氷時間判定手段３８によりステップ２０１で検出した送風機１１の運転積算時間が一定時間以上であればステップ２０３へ進み、一定時間未満であればステップ１１４へ進む。ステップ２０３では第４タイマ３６がタイムアップすると再度ステップ１０１に戻る。ステップ１１４では第３タイマ３５がタイムアップすると再度ステップ１０１に戻り、タイムアップしていなければ再度ステップ２０１へ戻る。
【００４０】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第４タイマ３６および送風機運転積算時間検出手段３７および第１製氷時間判定手段３８を備え、送風機の運転状態の違いにより製氷時間の適正化を行うことで、タイムリーな氷を供給することができる。
【００４１】
（実施の形態２）
図３は、本発明の実施の形態２における自動製氷装置およびこの装置を備えた冷凍冷蔵庫のブロック図である。図４は、同実施の形態の動作を示すフローチャートである。
【００４２】
図３において第５タイマ３９は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。製氷室扉開閉カウンタ４０は製氷室８の扉開閉の回数をカウントするカウンタである。第２製氷時間判定手段４１は製氷時間をカウントするタイマを第３タイマ３５で行うかまたは第５タイマ３９で行うかを判定する手段である。
【００４３】
以上のように構成された自動製氷装置およびこの装置を備えた冷凍冷蔵庫について、以下その動作、作用を図４をもとにして説明する。
【００４４】
まず、ステップ１からステップ４およびステップ１０１からステップ１１２は従来通りである。ステップ１１３で給水ポンプモータ駆動手段３１は給水ポンプモータ２０を停止させステップ３０１に進む。ステップ３０１では、製氷室扉開閉カウンタ４０により製氷室８の扉開閉の回数を検出しステップ３０２へ進む。ステップ３０２では、第２製氷時間判定手段４１によりステップ３０１で検出した製氷室８の扉開閉の回数が一定回数未満であればステップ３０３へ進み、一定回数以上であればステップ１１４へ進む。ステップ２０３では第５タイマ３９がタイムアップすると再度ステップ１０１に戻る。ステップ１１４では第３タイマ３５がタイムアップすると再度ステップ１０１に戻り、タイムアップしていなければ再度ステップ３０１へ戻る。
【００４５】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第５タイマ３９および製氷室扉開閉カウンタ４０および第２製氷時間判定手段４１を備え、製氷時間を製氷室の扉開閉の回数によって決定し、離氷させる手段を備えたことにより、製氷室の温度上昇において製氷時間の適正化を行うことで、タイムリーな氷を供給することができる。
【００４６】
（実施の形態３）
図５は、本発明の実施の形態３における自動製氷装置およびこの装置を備えた冷凍冷蔵庫のブロック図である。図６は、同実施の形態の動作を示すフローチャートである。
【００４７】
図５において第６タイマ４２は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。製氷室温度検出手段４３は製氷室８内に設置された製氷室温度検出用サーミスタ４４より庫内温度を検出する手段である。第３製氷時間判定手段４５は製氷時間をカウントするタイマを第３タイマ３５で行うかまたは第６タイマ４２で行うかを判定する手段である。
【００４８】
以上のように構成された自動製氷装置およびこの装置を備えた冷凍冷蔵庫について、以下その動作、作用を図６をもとにして説明する。
【００４９】
まず、ステップ１からステップ４およびステップ１０１からステップ１１２は従来通りである。ステップ１１３で給水ポンプモータ駆動手段３１は給水ポンプモータ２０を停止させステップ４０１に進む。ステップ４０１では、製氷室温度検出手段４３により製氷室８の温度を検出しステップ４０２へ進む。ステップ４０２では、第３製氷時間判定手段４５によりステップ４０１で検出した製氷室８の温度が一定温度以上であればステップ４０３へ進み、一定温度未満であればステップ１１４へ進む。ステップ４０３では第６タイマ４２がタイムアップすると再度ステップ１０１に戻る。ステップ１１４では第３タイマ３５がタイムアップすると再度ステップ１０１に戻り、タイムアップしていなければ再度ステップ４０１へ戻る。
【００５０】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第６タイマ４２および製氷室温度検出手段４３および第３製氷時間判定手段４５を備え、製氷時間を製氷室の庫内温度から決定し、離氷させる手段を備えたことにより、製氷室の温度上昇において製氷時間の適正化を行うことで、タイムリーな氷を供給することができる。
【００５１】
（実施の形態４）
図７は、本発明の実施の形態４における自動製氷装置およびこの装置を備えた冷凍冷蔵庫のブロック図である。図８は、同実施の形態の動作を示すフローチャートである。
【００５２】
図７において第７タイマ４６は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。第４製氷時間判定手段４７は製氷時間をカウントするタイマを第３タイマ３５で行うかまたは第７タイマ４６で行うかを判定する手段である。
【００５３】
以上のように構成された自動製氷装置およびこの装置を備えた冷凍冷蔵庫について、以下その動作、作用を図８をもとにして説明する。
【００５４】
まず、ステップ１からステップ４およびステップ１０１からステップ１１２は従来通りである。ステップ１１３で給水ポンプモータ駆動手段３１は給水ポンプモータ２０を停止させステップ５０１に進む。ステップ５０１では、庫内温度検出手段１２により冷凍室９の温度を検出しステップ５０２へ進む。ステップ５０２では、第４製氷時間判定手段４７によりステップ５０１で検出した冷凍室９の温度が一定温度以上であればステップ５０３へ進み、一定温度未満であればステップ１１４へ進む。ステップ５０３では第７タイマ４５がタイムアップすると再度ステップ１０１に戻る。ステップ１１４では第３タイマ３５がタイムアップすると再度ステップ１０１に戻り、タイムアップしていなければ再度ステップ５０１へ戻る。
【００５５】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第７タイマ４６および第４製氷時間判定手段４７を備えたことにより、製氷時間を冷凍室の庫内温度から決定し、離氷させる手段を備え、冷凍室の温度上昇において製氷時間の適正化を行うことで、タイムリーな氷を供給することができる。
【００５６】
（実施の形態５）
図９は、本発明の実施の形態５における自動製氷装置およびこの装置を備えた冷凍冷蔵庫のブロック図である。図１０は、同実施の形態の動作を示すフローチャートである。
【００５７】
図９において、第８タイマ４８は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。第１操作部４９は冷凍室９の基準温度帯から低めあるいは高めの温度帯を調節することができ、冷蔵室６内などに設置されている汎用的な操作部である。第１庫内温度帯検出手段５０は第１操作部４９によって設定された温度帯を検出する手段である。第５製氷時間判定手段５１は製氷時間をカウントするタイマを第３タイマ３５で行うかまたは第８タイマ４８で行うかを判定する手段である。
【００５８】
以上のように構成された自動製氷装置およびこの装置を備えた冷凍冷蔵庫について、以下その動作、作用を図１０をもとにして説明する。
【００５９】
まず、ステップ１からステップ４およびステップ１０１からステップ１１２は従来通りである。ステップ１１３で給水ポンプモータ駆動手段３１は給水ポンプモータ２０を停止させステップ６０１に進む。ステップ６０１では、第１操作部４９により設定された冷凍室９の温度帯を第１庫内温度帯検出手段５０により検出しステップ６０２へ進む。ステップ６０２では、第５製氷時間判定手段５１によりステップ６０１で検出した冷凍室９の温度帯が基準温度帯より低めの温度帯に設定されてあればステップ６０３へ進み、基準温度帯より高めの温度帯に設定されてあればステップ１１４へ進む。ステップ６０３では第８タイマ４８がタイムアップすると再度ステップ１０１に戻る。ステップ１１４では第３タイマ３５がタイムアップすると再度ステップ１０１に戻り、タイムアップしていなければ再度ステップ６０１へ戻る。
【００６０】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第８タイマ４８および第１庫内温度帯検出手段５０および第５製氷時間判定手段５１を備え、製氷時間を操作部によって設定された冷凍室の温度帯から決定し、離氷させる手段を備え、冷凍室の温度帯の違いにおいて製氷時間の適正化を行うことで、タイムリーな氷を供給することができる。
【００６１】
（実施の形態６）
図１１は、本発明の実施の形態６における自動製氷装置およびこの装置を備えた冷凍冷蔵庫のブロック図である。図１２は、同実施の形態の動作を示すフローチャートである。
【００６２】
図１１において第９タイマ５２は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。切換室温度検出手段５３は切換室７内に設置された切換室温度検出用サーミスタ５４より庫内温度を検出する手段である。第６製氷時間判定手段５５は製氷時間をカウントするタイマを第３タイマ３５で行うかまたは第９タイマ５２で行うかを判定する手段である。
【００６３】
以上のように構成された自動製氷装置およびこの装置を備えた冷凍冷蔵庫について、以下その動作、作用を図１２をもとにして説明する。
【００６４】
まず、ステップ１からステップ４およびステップ１０１からステップ１１２は従来通りである。ステップ１１３で給水ポンプモータ駆動手段３１は給水ポンプモータ２０を停止させステップ７０１に進む。ステップ７０１では、切換室温度検出手段５３により切換室７の温度を検出しステップ７０２へ進む。ステップ７０２では、第６製氷時間判定手段５５によりステップ７０１で検出した切換室７の温度が一定温度以上であればステップ７０３へ進み、一定温度未満であればステップ１１４へ進む。ステップ７０３では第９タイマ５２がタイムアップすると再度ステップ１０１に戻る。ステップ１１４では第３タイマ３５がタイムアップすると再度ステップ１０１に戻り、タイムアップしていなければ再度ステップ７０１へ戻る。
【００６５】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第９タイマ５２および切換室温度検出手段５３および第６製氷時間判定手段５５を備え、製氷時間を切換室の庫内温度から決定し、離氷させる手段を備えたことにより、切換室の温度上昇において製氷時間の適正化を行うことで、タイムリーな氷を供給することができる。
【００６６】
（実施の形態７）
図１３は、本発明の実施の形態７における自動製氷装置およびこの装置を備えた冷凍冷蔵庫のブロック図である。図１４は、同実施の形態の動作を示すフローチャートである。
【００６７】
図１３において、第１０タイマ５６は前記製氷量判定手段２９の状態が貯氷量不足で前記給水ポンプモータ２０が前記給水タンク１９から前記製氷皿１７に水を供給した時よりカウントするタイマでタイムアップも判断する、尚タイムアップ時間は第３タイマ３５よりも短い時間となっている。第２操作部５７は切換室７の基準温度帯から低めあるいは高めの温度帯を調節することができ、冷蔵室６内などに設置されている汎用的な操作部である。第２庫内温度帯検出手段５８は前記操作部５７によって設定された切換室７の温度帯を検出する手段である。第７製氷時間判定手段５９は製氷時間をカウントするタイマを第３タイマ３５で行うかまたは第１０タイマ５６で行うかを判定する手段である。
【００６８】
以上のように構成された自動製氷装置およびこの装置を備えた冷凍冷蔵庫について、以下その動作、作用を図１４をもとにして説明する。
【００６９】
まず、ステップ１からステップ４およびステップ１０１からステップ１１２は従来通りである。ステップ１１３で給水ポンプモータ駆動手段３１は給水ポンプモータ２０を停止させステップ８０１に進む。ステップ８０１では、第２操作部５７により設定された切換室７の温度帯を第２庫内温度帯検出手段５８により検出しステップ８０２へ進む。ステップ８０２では、第７製氷時間判定手段５９によりステップ８０１で検出した切換室７の温度帯が基準温度帯より低めの温度帯に設定されてあればステップ８０３へ進み、基準温度帯より高めの温度帯に設定されてあればステップ１１４へ進む。ステップ８０３では第１０タイマ５６がタイムアップすると再度ステップ１０１に戻る。ステップ１１４では第３タイマ３５がタイムアップすると再度ステップ１０１に戻り、タイムアップしていなければ再度ステップ８０１へ戻る。
【００７０】
以上のように、本実施の形態では、たとえば、製氷皿１７の衛生性を高めるために製氷皿１７を製氷室内より着脱自在としたものは、その構成上、製氷完了を判断するための製氷皿１７の温度を検知する温度センサを設置することが困難であり、上記仕様のものにおいて、第１０タイマ５６および第２庫内温度帯検出手段５８および第７製氷時間判定手段５９を備え、製氷時間を操作部によって設定された切換室の温度帯から決定し、離氷させる手段を備えたことにより、切換室の温度帯の違いにおいて製氷時間の適正化を行うことで、タイムリーな氷を供給することができる。
【産業上の利用可能性】
【００７１】
以上のように、本発明にかかる自動製氷装置およびこの装置を備えた冷凍冷蔵庫は、送風機の運転状態の違い、または冷凍室や製氷室や切換室の温度上昇や温度帯の違いにおいても、製氷皿への給水動作から製氷完了までの時間を決定することで製氷時間の適正化を行い、タイムリーな氷を供給することが可能となるので、製氷皿の温度を検知するセンサを製氷皿に付設できない製氷皿脱着可能な自動製氷装置およびこの装置を備えた冷却機器等の用途にも利用できる。
【図面の簡単な説明】
【００７２】
【図１】本発明の実施の形態１における自動製氷装置およびこの装置を備えた冷凍冷蔵庫のブロック図
【図２】同実施の形態の動作を示すフローチャート
【図３】本発明の実施の形態２における自動製氷装置およびこの装置を備えた冷凍冷蔵庫のブロック図
【図４】同実施の形態の動作を示すフローチャート
【図５】本発明の実施の形態３における自動製氷装置およびこの装置を備えた冷凍冷蔵庫のブロック図
【図６】同実施の形態の動作を示すフローチャート
【図７】本発明の実施の形態４における自動製氷装置およびこの装置を備えた冷凍冷蔵庫のブロック図
【図８】同実施の形態の動作を示すフローチャート
【図９】本発明の実施の形態５における自動製氷装置およびこの装置を備えた冷凍冷蔵庫のブロック図
【図１０】同実施の形態の動作を示すフローチャート
【図１１】本発明の実施の形態６における自動製氷装置およびこの装置を備えた冷凍冷蔵庫のブロック図
【図１２】同実施の形態の動作を示すフローチャート
【図１３】本発明の実施の形態７における自動製氷装置およびこの装置を備えた冷凍冷蔵庫のブロック図
【図１４】同実施の形態の動作を示すフローチャート
【図１５】従来の自動製氷装置およびこの装置を備えた冷凍冷蔵庫のブロック図
【図１６】従来の冷凍冷蔵庫の動作を示すフローチャート
【図１７】従来の自動製氷装置の動作を示すフローチャート
【符号の説明】
【００７３】
１    冷蔵庫本体
２    外箱
３    内箱
４    断熱材
５    区画壁
６    冷蔵室
７    切換室
８    製氷室
９    冷凍室
１０  冷却器
１１  送風機
１２  庫内温度検出手段
１３  庫内温度検出用サーミスタ
１４  庫内温度判定手段
１７  製氷皿
１９  給水タンク
２０  給水ポンプモータ
２１  離氷機構
２３  貯氷箱
２４  検氷レバー
３５  第３タイマ
３６  第４タイマ
３７  送風機運転積算時間検出手段
３８  第１製氷時間判定手段
３９  第５タイマ
４０  製氷室扉開閉カウンタ
４１  第２製氷時間判定手段
４２  第６タイマ
４３  製氷室温度検出手段
４４  製氷室温度検出用サーミスタ
４５  第３製氷時間判定手段
４６  第７タイマ
４７  第４製氷時間判定手段
４８  第８タイマ
４９  第１操作部
５０  第１庫内温度帯検出手段
５１  第５製氷時間判定手段
５２  第９タイマ
５３  切換室温度検出手段
５４  切換室温度検出用サーミスタ
５５  第６製氷時間判定手段
５６  第１０タイマ
５７  第２操作部
５８  第２庫内温度帯検出手段
５９  第７製氷時間判定手段
【図１】
2006078107.tif 000003
【図２】
2006078107.tif 000004
【図３】
2006078107.tif 000005
【図４】
2006078107.tif 000006
【図５】
2006078107.tif 000007
【図６】
2006078107.tif 000008
【図７】
2006078107.tif 000009
【図８】
2006078107.tif 000010
【図９】
2006078107.tif 000011
【図１０】
2006078107.tif 000012
【図１１】
2006078107.tif 000013
【図１２】
2006078107.tif 000014
【図１３】
2006078107.tif 000015
【図１４】
2006078107.tif 000016
【図１５】
2006078107.tif 000017
【図１６】
2006078107.tif 000018
【図１７】
2006078107.tif 000019